(57)【要約】【課題】良質な水分が含まれる地下含水層が地表より１ｍ以深、さらには１．５ｍ以深にある地域への定植に適した長尺根を有する植物苗を成長させることのできる植物苗の短期育成用具および育成方法、定植用植物苗セット、並びに植苗方法を提供する。【解決手段】植物苗用の育成材料の脱落を防止する網状部材が底部開口部に取り付けられるとともに内部に前記育成材料が充填されている複数の短筒体と、該複数の短筒体を長手方向に積層連結固定して前記定植地の地下含水層に到達可能な長さとする連結固定手段とを有してなり、前記各短筒内の育成材料が前記積層連結された複数の短筒体の最上部の短筒体の上部開口部内側に固定する植物苗の根の下方への成長速度を増大させることを可能にする硬度に調整されてなる短期育成用具を用いる。【選択図】        図１
2008206481.tif 000002
【特許請求の範囲】
【請求項１】
定植地に定着可能な長尺な根を有する植物苗を得るための植物苗の短期育成用具であって、
前記植物苗用の育成材料の脱落を防止する網状部材が底部開口部に取り付けられるとともに内部に前記育成材料が充填されている複数の短筒体と、該複数の短筒体を長手方向に積層連結固定して前記定植地の地下含水層に到達可能な長さとする連結固定手段とを有してなり、前記各短筒内の育成材料が前記積層連結された複数の短筒体の最上部の短筒体の上部開口部内側に固定する植物苗の根の下方への成長速度を増大させることを可能にする硬度に調整されていることを特徴とする植物苗の短期育成用具。
【請求項２】
請求項１に記載の植物苗の短期育成用具において、前記連結固定手段が前記複数の短筒体に外嵌する外筒体であることを特徴とする植物苗の短期育成用具。
【請求項３】
請求項２に記載の植物苗の短期育成用具において、前記外筒体が長手方向に連続した単一な長寸外筒体であることを特徴とする植物苗の短期育成用具。
【請求項４】
請求項２に記載の植物苗の短期育成用具において、前記外筒体が前記複数の短筒体相互の連結部近傍のみを覆う長さの短寸外筒体の複数個から構成されていることを特徴とする植物苗の短期育成用具。
【請求項５】
請求項２に記載の植物苗の短期育成用具において、前記外筒体が前記短筒体の数個を同時に覆う長さの中寸外筒体の複数個から構成されていることを特徴とする植物苗の短期育成用具。
【請求項６】
請求項１〜５のいずれか１項に記載の植物苗の短期育成用具において、前記複数の短筒体間に透明層が介装されていることを特徴とする植物苗の短期育成用具。
【請求項７】
請求項６に記載の植物苗の短期育成用具において、前記透明層が多数の透明粒子から構成されていることを特徴とする植物苗の短期育成用具。
【請求項８】
請求項６に記載の植物苗の短期育成用具において、前記透明層が透明ゲルから構成されていることを特徴とする植物苗の短期育成用具。
【請求項９】
請求項６に記載の植物苗の短期育成用具において、前記透明層と前記短寸外筒体とが同一透明材料により一体に形成され、その中央に伸長根の通過を可能とする貫通孔が形成されていることを特徴とする植物苗の短期育成用具。
【請求項１０】
請求項１に記載の植物苗の短期育成用具において、前記育成材料が充填された短筒体の下部が該短筒体の上部開口部に嵌入可能な寸法に縮径され、該下部縮径部が前記連結固定手段を構成していることを特徴とする植物苗の短期育成用具。
【請求項１１】
請求項１に記載の植物苗の短期育成用具において、前記連結固定手段が、前記請求項２〜５のいずれかに記載の外筒体と、前記請求項１０に記載の短筒体の下部縮径部との組み合わせから構成されていることを特徴とする植物苗の短期育成用具。
【請求項１２】
請求項１〜１１のいずれか１項に記載の植物苗の短期育成用具において、前記育成材料の硬度が、育成後の前記植物苗を定着させようとする定植地の土壌硬度以下であることを特徴とする植物苗の短期育成用具。
【請求項１３】
請求項１〜１２のいずれか１項に記載の植物苗の短期育成用具において、前記育成材料が、土壌、砂、礫、土壌代替物からなる群から選ばれる少なくとも１種であることを特徴とする植物苗の短期育成用具。
【請求項１４】
請求項１〜１３のいずれか１項に記載の植物苗の短期育成用具において、前記短筒体が透水性を有することを特徴とする植物苗の短期育成用具。
【請求項１５】
請求項１〜１４のいずれか１項に記載の植物苗の短期育成用具において、前記短筒体が保水性を有することを特徴とする植物苗の短期育成用具。
【請求項１６】
請求項１〜１５のいずれか１項に記載の植物苗の短期育成用具において、前記短筒体が通気性を有することを特徴とする植物苗の短期育成用具。
【請求項１７】
請求項１〜１６のいずれか１項に記載の植物苗の短期育成用具において、前記短筒体が生分解性資材から構成されていることを特徴とする植物苗の短期育成用具。
【請求項１８】
請求項１〜１７のいずれか１項に記載の植物苗の短期育成用具において、前記外筒体が前記短筒体と同一の材料から構成されていることを特徴とする植物苗の短期育成用具。
【請求項１９】
請求項１〜１７のいずれか１項に記載の植物苗の短期育成用具において、前記外筒体が非生分解性資材から構成されていることを特徴とする植物苗の短期育成用具。
【請求項２０】
請求項１〜１９のいずれか１項に記載の植物苗の短期育成用具において、前記短筒体の外表面に疎水性の塗料が塗布されていることを特徴とする植物苗の短期育成用具。
【請求項２１】
請求項１〜２０のいずれか１項に記載の植物苗の短期育成用具を用いて定植地に定着可能な長尺な根を有する植物苗を得る植物苗の短期育成方法であって、
前記複数の短筒体を定植地の地下含水層に到達可能な長さに積層連結して固定し、積層した最上部の短筒体の上部開口部内側の育成材料中に植物苗を固定し、前記植物苗の根を前記複数の短筒体下方へ成長させることにより、前記長尺な根を有する植物苗を得ることを特徴とする植物苗の短期育成方法。
【請求項２２】
請求項２１に記載の植物苗の短期育成方法において、前記複数の短筒体の積層数を前記植物苗の根の成長寸法の伸長に対応して順次に増やすことを特徴とする植物苗の短期育成方法。
【請求項２３】
請求項６〜９のいずれか１項に記載の植物苗の短期育成用具を用いて定植地に定着可能な長尺な根を有する植物苗を得る植物苗の短期育成方法であって、
前記複数の短筒体を定植地の地下含水層に到達可能な長さに積層連結して固定し、積層した最上部の短筒体の上部開口部内側の育成材料中に植物苗を固定し、前記植物苗の根の伸長を前記各短筒体間の透明層を介して確認することにより前記植物苗の根を前記複数の短筒体下方へ確実に成長させて、前記長尺な根を有する植物苗を得ることを特徴とする植物苗の短期育成方法。
【請求項２４】
請求項２３に記載の植物苗の短期育成方法において、前記植物苗の根の伸長先端位置を前記各短筒体間の透明層を介して確認し、その確認した位置に対応して前記複数の短筒体の積層数を順次に増やすことを特徴とする植物苗の短期育成方法。
【請求項２５】
請求項１〜２０のいずれか１項に記載の短期育成用具に該短期育成用具の下端に至る長尺な根を有する植物苗が収容されてなる定植用植物苗セット。
【請求項２６】
請求項２５に記載の定植用植物苗セットにおいて、前記長尺な根を有する植物苗が前記請求項２１〜２４のいずれか１項に記載の植物苗の短期育成方法により育成されたものであることを特徴とする定植用植物苗セット。
【請求項２７】
定植地の地中に縦穴を植物が生育するために必要な品質および量の水を有する含水層に至るまで掘削し、該縦穴に、前記請求項２５または２６に記載の定植用植物苗セットを埋め込むことによって、定植地に植苗することを特徴とする定植地における植苗方法。
【請求項２８】
請求項２７に記載の定植地における植苗方法において、前記定植用植物苗セットを構成する外筒体が非生分解性資材から構成されている場合には、該定植用植物苗セットの前記縦穴への挿入が完了した時点で、前記外筒体のみを引き上げて回収することを特徴とする定植地における植苗方法。
【発明の詳細な説明】
【技術分野】
【０００１】
本発明は、植物苗を短期に育成することのできる育成用具、該用具を用いた短期育成方法、定植用植物苗セット、および前記植物苗セットを用いた植苗方法に関するものである。本発明は、さらに詳しくは、定植地として、例えば、乾燥地、土壌表層が凍結した寒冷地、土壌表層に塩類が集積した塩類集積地などの植物の育成が困難な地域においても植物苗を順調かつ短期に育成することのできる短期育成用具、該用具を用いた短期育成方法、定植用植物苗セット、および前記植物苗セットを用いた植苗方法に関するものである。
【背景技術】
【０００２】
周知のように、乾燥地における地中の含水分は、緑化容易な他の地帯における含水分に比べて非常に少ない。例えば、アフリカのナイジェリアで２０００年に土壌中の含水比を土壌深度について測定した結果では、土壌表面はほとんど含水分がないのに較べ、深さ３０cm以上には比較的安定した含水量が認められた。したがって、乾燥地における植物の生き残りは、この安定した含水量のある深さの層へ根を如何に早く到達することができるか否かによって決まる。
【０００３】
また、世界に広く分布する塩類集積土壌では、土壌の比較的浅い部分（表面〜２０ｃｍないし３０ｃｍの深さまで）には塩分が多く含まれていることが、しばしばであり、その部分の含水分が植物育成を可能にする量であっても、その塩分により、育成が阻害されてしまう。
【０００４】
従来、前述のような乾燥地帯に植物を育成させるための技術として、例えば、図１０に示すような構造体（特許文献１）や、図１１に示すような構造体（特許文献２）を用いることが提案されている。
【０００５】
図１０に示す構造体を用いた植物の育成方法は、次のようである。すなわち、掘削して形成した所要の断面積と深さとを有する空所Ｘ内に外筒部材１を装着し、該外筒部材１内に保水材入りの土壌Ｓ１を充填したのち、その中央部に形成した空隙内に保水材入りの植生用の土壌Ｓ２を充填した内筒部材２を配置し、各土壌Ｓ１，Ｓ２に灌水を行い、内在する保水材に充分な水分を保持させたのち、内筒部材２内の土壌Ｓ２に播種又は苗の植付けをし、外筒部材１によって土壌Ｓ１中の水分の外筒部材１外への流出を遮断すると共に、前記土壌Ｓ１によって内筒部材２内の土壌Ｓ２を地熱から断熱し、当該土壌の冷却化と乾燥を防止して湿潤状態を保持しながら植物を成育させる。
【０００６】
また、前記乾燥および塩分対策としては、耐乾性および耐塩性を有する植物種を選択的に用いることによって、定着率を高める努力が行われている。さらに、塩分が多く乾燥した土壌の地域であっても、近くに豊富な水源がある場合には、その水を用いて、土壌中から塩分を洗い流すことも試みられている。
【０００７】
また、育成植物の形態として、苗を使用する場合、現在、その苗は、ポット栽培、露地栽培により生産している。
【０００８】
図１１の構造体は、生分解可能な素材で形成された円筒状の外層５と、保水性と吸水性を備えた円筒状の中間層６と、肥料を混ぜた土壌からなる内層７とによって構成されている。上記中間層６の上面ならびに下面は前記外層５と同じ材料で形成された円盤形の薄い上蓋８ならびに下蓋９によって被覆保護されている。
【０００９】
図１１の構造体を用いて、乾燥地や砂丘、砂漠等に、植物を成長させる方法は、まず、砂漠等の砂地の底部の伏流水を有する土壌基盤に到達する長さまで複数連結し、砂地をボーリングして埋め込み、種もしくは苗木を内層７に植え込む。苗木定着後、根が土壌基盤に達するまで約３０日に一度の割合で約１リットルの注水を行う。
【００１０】
【特許文献１】特開２０００−０３２８４０号公報
【特許文献２】特許第３８１１８０１号明細書
【発明の開示】
【発明が解決しようとする課題】
【００１１】
前記特許文献１に記載の技術を用いることで、高い保水性と、高温による根の伸長阻害を抑制することができる。しかしながら、前記特許文献１に記載の技術には、複雑な構造体や培地への保水材の補充作業等の煩雑さがあるため、一連の操作性に多大な労力が要求される。また、点滴灌漑等により植物への継続的な水分供給を行わなくてはならないため、少ないとはいえ蒸発による水の損失が起きる等、さらなる改善点が存在する。
【００１２】
また、塩分に強い植物種を用いる乾燥地緑化対策も、現実的には、塩分濃度が高すぎて、塩分に強い植物種を用いても、生物障害等が起こる可能性が高く、その地に定着させることが難しい。
【００１３】
また、豊富な水源が近くにある場合に用いられる土壌中の塩分の洗浄除去方法は、乾燥地ではそのような水源が確保できないので、非現実的である。
【００１４】
また、定植に使用する苗の準備方法として用いられているポット栽培、露地栽培では、育苗期間が長い。
【００１５】
前記特許文献２に開示の構造体は、植物の種子や苗にとって定着が困難な乾燥地等の砂地に直接埋め込まれる。埋め込まれた後に内層７に植物の種または苗が植え込まれる。そして、構造体の上から注水して、植物苗に水分を補給する。内層７は、肥料を混ぜた土壌であり、水分を含むことによって、植物への養分と水分の補給源となる。
【００１６】
本発明者らの実験によれば、前記特許文献２に開示の構造体および植物の定着方法を用いて植物を成長させた場合、砂地の表面から３０ｃｍ以上の深さにある伏流水に到るまで、植物の根を成長させることはできなかった。その原因を探求したところ、植物の苗が植え付けられる内層７が肥料を含み、かつ十分な水分を与えられるため、植物は、この内層７から養分および水分を得るために分岐した短い根が多数発生するだけで、３０ｃｍ以上の下方に位置する伏流水に達するまでの長尺な根が成長しないことが判明した。したがって、この特許文献２に開示の構造体および植物の定着方法によれば、乾燥地に植物を定着させることが難しく、可能であったとしても、定着に長期間を要し、その間、常に注水を絶やすことができず、定着までに要する注水量が膨大なものになり、コスト面で定植事業は破綻せざるを得ない。
【００１７】
これに対して、本発明者らは、乾燥地や寒冷地や表層塩類集積地域などの土壌表層の水分が利用し難い(植物育成に必要な水分を確保しにくい)定植地において現地の土壌に順調に植苗することができ、かつ定植地において積極的に人工的に水分を補給しなくとも、苗を確実に定着させ、成長させることのできる技術を確立すべく、鋭意、実験、検討を重ねた。
【００１８】
その結果、砂漠などの実際の定植地に植え付ける前に、定植地とは別の適当な環境下において、図１２、１３に示すように、前記定植地の地下含水層に到達可能な長さを有する筒体１０の上部開口部１０ａ内側に植物苗１１を固定するとともに、前記筒体１０の内側に前記植物苗１１の根の下方への成長速度を増大させることを可能にする硬度で人工土壌等の育成材料１２を充填し、前記植物苗１１の根の前記筒体１０下方への成長を促進させることにより、長尺な根１１ａを有する植物苗１１を得ることできることが知見された。前記育成材料１２の硬度としては、育成後の前記植物苗を定着させようとする定植地の土壌硬度以下に設定すれば良く、好ましくは、育成材料１２は筒体１０の内壁１０ｂから脱落しない範囲内で可能な限り低密度に充填させる程良い。そして、水分補給は、育成材料１２の上部からの注水によると、植物の根は下方に長く伸びる必要性を感知しないので、筒体１０の下端部分のみを水中に間欠的に漬けることによって植物苗１１に根を下方に伸ばす必要性を感知させる負荷を与えれば、それにより長尺根１１ａの成長を実現できることも判明した。また、筒体１０内の育成材料１２に筒体１０の上方から注水を行うと、筒体１０内に低密度に充填されていた育成材料が脱落しやすくなるので、かかる点からも筒体１０下部から筒体１０の材料および育成材料の吸水性を利用した水分補充が好ましいことが確認された。
【００１９】
前述のようにして、筒体１０の下端に到り、さらに筒体１０下端からさらに下方に長尺根１１ａが伸びるようになるまで、長尺根１１ａが成長したなら、この長尺根１１ａを有する植物苗を、その成長を支えた筒体１０とともに、定植地に搬送し、その筒体１０とともに定植地のボーリング穴（地下含水層に到達）に挿入し、埋め込む。この埋め込んだ時点で、筒体１０内に収容されている植物苗１１の長尺根１１ａは、植物の生育に適した地下水に即時的に接触し、水分を吸収し始めることになる。その結果、植え付けた植物の定着率が大幅に向上し、しかも、地表からの注水もほとんど不要となるので、その後の植物生育のためのコストも大幅に低減することができる。
【００２０】
本発明者らは、育成材料を所定の硬度にて充填させてなる筒体（短期育成用具）と、該筒体内にて長尺な根を成長させた植物苗と前記筒体とを一体にしたものを、植物苗セットとして流通させることにより、砂漠等の定植地へ、植物苗に損傷を与えることなく、搬送でき、定植地への植物の植え付け（植苗）も、簡易に行うことができ、定着率も格段に向上させることができることを、中規模生産レベルにて、確認することができた。
【００２１】
かかる一連の技術、すなわち、定植地に定着可能な長尺な根を有する植物苗を得るための植物根の短期育成用具、育成方法、植物苗セット、および植苗方法を、確立した後、本発明者らは、さらに過酷な地質的条件下の地域への適用を検討することになった。
【００２２】
その結果、良質な水分が含まれる地下含水層が１．５ｍ以深にある地域もあり、そのような地域に植物を定着させるためには、その長尺根を１．５ｍ近くまで、好ましくは１．５ｍを超えるような長さまで成長させる必要があることが判明した。これに対応させるために、筒体の長さを１．５ｍを超える長さにしたところ、それに伴って、筒体内の育成材料が脱落しやすくなるという新たな問題が発生した。筒体内の育成材料の脱落は、充填密度を高めて、育成材料の硬度を上げれば、防止可能である。しかしながら、筒体内の育成材料の硬度を高めると、長尺根の成長が著しく阻害され、場合によっては、寸法の短い分岐根が多数成長するだけで終わってしまうことが知見された。
【００２３】
本発明は、前記事情に鑑みてなされたもので、その課題は、良質な水分が含まれる地下含水層が地表より１ｍ以深、さらには１．５ｍ以深にある地域への定植に適した長尺根を有する植物苗を成長させることのできる植物苗の短期育成用具および育成方法、定植用植物苗セット、並びに植苗方法を提供することにある。
【課題を解決するための手段】
【００２４】
上述した課題を解決するために、本発明の請求項［１］に記載の植物苗の短期育成用具は、定植地に定着可能な長尺な根を有する植物苗を得るための植物苗の短期育成用具であって、前記植物苗用の育成材料の脱落を防止する網状部材が底部開口部に取り付けられるとともに内部に前記育成材料が充填されている複数の短筒体と、該複数の短筒体を長手方向に積層連結固定して前記定植地の地下含水層に到達可能な長さとする連結固定手段とを有してなり、前記各短筒内の育成材料が前記積層連結された複数の短筒体の最上部の短筒体の上部開口部内側に固定する植物苗の根の下方への成長速度を増大させることを可能にする硬度に調整されていることを特徴とする。
【００２５】
本発明の請求項［２］に記載の植物苗の短期育成用具は、前記請求項１に記載の植物苗の短期育成用具において、前記連結固定手段が前記複数の短筒体に外嵌する外筒体であることを特徴とする。
【００２６】
本発明の請求項［３］に記載の植物苗の短期育成用具は、前記請求項２に記載の植物苗の短期育成用具において、前記外筒体が長手方向に連続した単一な長寸外筒体であることを特徴とする。
【００２７】
本発明の請求項［４］に記載の植物苗の短期育成用具は、前記請求項２に記載の植物苗の短期育成用具において、前記外筒体が前記複数の短筒体相互の連結部近傍のみを覆う長さの短寸外筒体の複数個から構成されていることを特徴とする。
【００２８】
本発明の請求項［５］に記載の植物苗の短期育成用具は、前記請求項２に記載の植物苗の短期育成用具において、前記外筒体が前記短筒体の数個を同時に覆う長さの中寸外筒体の複数個から構成されていることを特徴とする。
【００２９】
本発明の請求項［６］に記載の植物苗の短期育成用具は、前記請求項１〜５のいずれか１項に記載の植物苗の短期育成用具において、前記複数の短筒体間に透明層が介装されていることを特徴とする。
【００３０】
本発明の請求項［７］に記載の植物苗の短期育成用具は、前記請求項６に記載の植物苗の短期育成用具において、前記透明層が多数の透明粒子から構成されていることを特徴とする。
【００３１】
本発明の請求項［８］に記載の植物苗の短期育成用具は、前記請求項６に記載の植物苗の短期育成用具において、前記透明層が透明ゲルから構成されていることを特徴とする。
【００３２】
本発明の請求項［９］に記載の植物苗の短期育成用具は、前記請求項６に記載の植物苗の短期育成用具において、前記透明層と前記短寸外筒体とが同一透明材料により一体に形成され、その中央に伸長根の通過を可能とする貫通孔が形成されていることを特徴とする。
【００３３】
本発明の請求項［１０］に記載の植物苗の短期育成用具は、前記請求項１に記載の植物苗の短期育成用具において、前記育成材料が充填された短筒体の下部が該短筒体の上部開口部に嵌入可能な寸法に縮径され、該下部縮径部が前記連結固定手段を構成していることを特徴とする。
【００３４】
本発明の請求項［１１］に記載の植物苗の短期育成用具は、前記請求項１に記載の植物苗の短期育成用具において、前記連結固定手段が、前記請求項２〜５のいずれかに記載の外筒体と、前記請求項１０に記載の短筒体の下部縮径部との組み合わせから構成されていることを特徴とする。
【００３５】
本発明の請求項［１２］に記載の植物苗の短期育成用具は、前記請求項１〜１１のいずれか１項に記載の植物苗の短期育成用具において、前記育成材料の硬度が、育成後の前記植物苗を定着させようとする定植地の土壌硬度以下であることを特徴とする。
【００３６】
本発明の請求項［１３］に記載の植物苗の短期育成用具は、前記請求項１〜１２のいずれか１項に記載の植物苗の短期育成用具において、前記育成材料が、土壌、砂、礫、土壌代替物からなる群から選ばれる少なくとも１種であることを特徴とする。
【００３７】
本発明の請求項［１４］に記載の植物苗の短期育成用具は、前記請求項１〜１３のいずれか１項に記載の植物苗の短期育成用具において、前記短筒体が透水性を有することを特徴とする。
【００３８】
本発明の請求項［１５］に記載の植物苗の短期育成用具は、前記請求項１〜１４のいずれか１項に記載の植物苗の短期育成用具において、前記短筒体が保水性を有することを特徴とする。
【００３９】
本発明の請求項［１６］に記載の植物苗の短期育成用具は、前記請求項１〜１５のいずれか１項に記載の植物苗の短期育成用具において、前記短筒体が通気性を有することを特徴とする。
【００４０】
本発明の請求項［１７］に記載の植物苗の短期育成用具は、前記請求項１〜１６のいずれか１項に記載の植物苗の短期育成用具において、前記短筒体が生分解性資材から構成されていることを特徴とする。
【００４１】
本発明の請求項［１８］に記載の植物苗の短期育成用具は、前記請求項１〜１７のいずれか１項に記載の植物苗の短期育成用具において、前記外筒体が前記短筒体と同一の材料から構成されていることを特徴とする。
【００４２】
本発明の請求項［１９］に記載の植物苗の短期育成用具は、前記請求項１〜１７のいずれか１項に記載の植物苗の短期育成用具において、前記外筒体が非生分解性資材から構成されていることを特徴とする。
【００４３】
本発明の請求項［２０］に記載の植物苗の短期育成用具は、前記請求項１〜１９のいずれか１項に記載の植物苗の短期育成用具において、前記短筒体の外表面に疎水性の塗料が塗布されていることを特徴とする。
【００４４】
本発明の請求項［２１］に記載の植物苗の短期育成用方法は、前記請求項１〜２０のいずれか１項に記載の植物苗の短期育成用具を用いて定植地に定着可能な長尺な根を有する植物苗を得る植物苗の短期育成方法であって、前記複数の短筒体を定植地の地下含水層に到達可能な長さに積層連結して固定し、積層した最上部の短筒体の上部開口部内側の育成材料中に植物苗を固定し、前記植物苗の根を前記複数の短筒体下方へ成長させることにより、前記長尺な根を有する植物苗を得ることを特徴とする。
【００４５】
本発明の請求項［２２］に記載の植物苗の短期育成用方法は、前記請求項２１に記載の植物苗の短期育成方法において、前記複数の短筒体の積層数を前記植物苗の根の成長寸法の伸長に対応して順次に増やすことを特徴とする。
【００４６】
本発明の請求項［２３］に記載の植物苗の短期育成用方法は、前記請求項６〜９のいずれか１項に記載の植物苗の短期育成用具を用いて定植地に定着可能な長尺な根を有する植物苗を得る植物苗の短期育成方法であって、前記複数の短筒体を定植地の地下含水層に到達可能な長さに積層連結して固定し、積層した最上部の短筒体の上部開口部内側の育成材料中に植物苗を固定し、前記植物苗の根の伸長を前記各短筒体間の透明層を介して確認することにより前記植物苗の根を前記複数の短筒体下方へ確実に成長させて、前記長尺な根を有する植物苗を得ることを特徴とする。
【００４７】
本発明の請求項［２４］に記載の植物苗の短期育成用方法は、前記請求項２３に記載の植物苗の短期育成方法において、前記植物苗の根の伸長先端位置を前記各短筒体間の透明層を介して確認し、その確認した位置に対応して前記複数の短筒体の積層数を順次に増やすことを特徴とする。
【００４８】
本発明の請求項［２５］に記載の定植用植物苗セットは、前記請求項１〜２０のいずれか１項に記載の短期育成用具に該短期育成用具の下端に至る長尺な根を有する植物苗が収容されてなることを特徴とする。
【００４９】
本発明の請求項［２６］に記載の定植用植物苗セットは、前記請求項２５に記載の定植用植物苗セットにおいて、前記長尺な根を有する植物苗が前記請求項２１〜２４のいずれか１項に記載の植物苗の短期育成方法により育成されたものであることを特徴とする。
【００５０】
本発明の請求項［２７］に記載の定植地における植苗方法は、定植地の地中に縦穴を植物が生育するために必要な品質および量の水を有する含水層に至るまで掘削し、該縦穴に、前記請求項２５または２６に記載の定植用植物苗セットを埋め込むことによって、定植地に植苗することを特徴とする。
【００５１】
本発明の請求項［２８］に記載の定植地における植苗方法は、前記請求項２７に記載の定植地における植苗方法において、前記定植用植物苗セットを構成する外筒体が非生分解性資材から構成されている場合には、該定植用植物苗セットの前記縦穴への挿入が完了した時点で、前記外筒体のみを引き上げて回収することを特徴とする。
【発明の効果】
【００５２】
本発明にかかる植物苗の短期育成用具、短期育成方法、定植用植物苗セット、定植地における植苗方法は、短い根から１．５ｍ近傍、もしくは、１．５ｍを超える長尺な長さに到るまでの様々な長さの根を有する植物苗を短期かつ効率的に育成することができる。しかも、その長尺な根を筒体によって保護したまま、搬送できるので、地中に埋め込む前に育成の好適な場所で長尺な根を成長させた後、得られた植物苗を遠隔地域にも容易に供給することができる。定植地に移送した植物苗は、本発明の定植地における植苗方法に従って、筒体、育成材料と共に地中に挿入されることによって、換言すれば、本発明の定植用植物苗セットを地中に挿入することによって、長尺な根の先端が植物育成において必要な水質及び水量を有する土壌層または地下水流に到達するので、水分の補給を積極的に実施しなくても、植物を定植地に定着させることができる。また、前記筒体は、複数の短筒体の積層によって構成されており、各短筒体の内側に前記植物苗の根の下方への成長速度を増大させることを可能にする硬度で育成材料を充填することで、健全な苗を短期間で生育することができ、かつ筒体内で育苗することにより、水の蒸発量を低減できるため、生育に必要となる水分量を大幅に低減することが可能となる。
【００５３】
このように、本発明にかかる苗の育成技術は、従来の技術と異なり、１．５ｍ近傍もしくはそれ以上の長さの長尺な根を持つ苗の育成を場所による制約を受けることなく行うことができ、量産性に優れている。さらに、本発明によれば、根の育成を確認し、その後、定植することができるので、苗の定植を確実に行うことができ、定着率を高めることが可能である。従って、本発明によれば、乾燥地や寒冷地、その他の土壌表面が一般的に植物育成に適さない場所、例えば、塩分、その他による汚染土壌であっても、そして、１ｍないし１．５ｍに到る深さまで、含水層がなくても、さらに深部であっても、地下に植物生育に適する水を有する含水層があれば、緑化を容易に実施することができる。仮に、定植地の土壌深層の水分量が植物育成に必要な水分量に対して不足している際には、筒体内に併設した細管（灌漑パイプ）を用いて、地中灌水を施すことにより、水の蒸発を抑えることができ、通常の点滴灌漑（地上部供給）に比べ、灌漑水を大幅に低減できる。
【発明を実施するための最良の形態】
【００５４】
以下に、本発明にかかる植物苗の短期育成用具および育成方法、定植用植物苗セット、並びに定植地における植苗方法の実施例を図面に基づいて詳細に説明する。なお、以下に示す実施例は本発明を好適に説明するための例示に過ぎず、なんら本発明を限定するものではない。
【実施例１】
【００５５】
図１は、本発明の実施例１を説明するためのもので、本発明にかかる植物苗の短期育成用具の構成を示す図である。この短期育成用具の使用目的は、乾燥地などの植物の育成が困難とされている地域において、地表から比較的浅い地層では、塩分が存在していることが多く、また、塩が含まれた水分を用いて灌漑を実施した場合には塩類集積が生じており、植物成長に必要な水分量は地中深くの土壌層に至らないと得られないため、そのような土壌層に到達可能な長尺な根を有する植物苗を育成することにある。特に良質な水分を含む土壌層が１．５ｍ近く、あるいは１．５ｍを超える深さに到らないと存在しない場合にも対応して、１．５ｍを超えるような長さの長尺根を育成することのできる植物苗の短期育成用具である。
【００５６】
その目的のために、この短期育成用具は、植物苗用の育成材料１２の脱落を防止する網状部材２０が底部開口部に取り付けられるとともに内部に前記育成材料１２が充填されている複数の短筒体２１と、該複数の短筒体２１を長手方向に積層連結固定して前記定植地の地下含水層に到達可能な長さとする外筒体（連結固定手段）２２とを有してなる。
【００５７】
前記短筒体２１内に充填されている育成材料１２は、最上部の短筒体２１の上部開口部内側に固定する植物苗１１の根の下方への成長速度を増大させることを可能にする硬度を維持するような密度に充填されている。この育成材料１２の各短筒体２１内での硬度は、定植地の土壌硬度以下に調整されている。硬度を周知の乾燥密度で表すと、ダイズでは、定植土壌硬度が１．５Ｍｇ・ｍ-3の場合、土壌硬度を１．３５Ｍｇ・ｍ-3に調整すれば、根の下方への伸長速度を(定植土壌硬度(＝１．５Ｍｇ・ｍ-3)の場合に比べて)２倍以上に増大させることができ、土壌硬度を０．５Ｍｇ・ｍ-3以下に調整すれば、根の下方への伸長速度を(定植土壌硬度(＝１．５Ｍｇ・ｍ-3)の場合に比べて)５倍以上に増大させることができる。すなわち、この育成材料１２の各短筒体２１内での硬度は、できるだけ低い方が好ましい。かかる目的を達成するために、短筒体２１の長さは、２０±１０ｃｍが好ましい。また、網状部材２０のメッシュ径を育成材料１２の脱落を防止し、かつ長尺根１１ａの通過を容易にする５±３ｍｍとすることが好ましい。
【００５８】
前記短筒体２１は、円筒体であってもよいし、口形が三角形、四角形等の多角形でも良いし、楕円形であっても良く、上下に貫通し、内部に前記育成材料１２を充填可能であれば、どのような口形であってもよい。短筒体２１の口径は、根の伸長を阻害せず、植物の生長に必要な養水分の保持容量が確保できる範囲内で最小の径に設定することが望ましい。導根筒の口径を小さくし過ぎると、壁面作用により根の伸長が阻害される可能性が生じ、口径を大きく設定すると、重量、容積が大きくなり、操作性が低下するし、内部の育成材料の保持が不安定になる。最適な短筒体２１の口径は、植物種により異なるが、一般的には、植物苗の主根径の２０倍程度に設定するのが好ましい。
【００５９】
また、この実施例では、短筒体２１の口径は(上下)一様であり、複数個を積層して連結固定状態とするために前記外筒体２２を外嵌する。そのために、外筒体２２の口形は内部に収納する短筒体２１と同形とし、その内径は短筒体２１の外径とほぼ同寸法とする。また、この実施例では、外筒体２２は単一の一体物とし、その長さ寸法は、目的とする定植地における地表から良質な含水土壌層に到るまでの深さ寸法にほぼ一致させる。したがって、含水土壌層が深い場合では、１．５ｍを超える長さとなる。
【００６０】
この短筒体２１を構成する材料としては、透水性、保水性、および通気性を有する材料が好ましい。このような材料としては、無機および有機物の多孔性材料が使用可能である。無機多孔性材料としては、汚泥乾燥粒子を焼結して得られた多孔性焼結体などが挙げられ、有機多孔性材料としては、合成樹脂の硬質発泡体などが挙げられる。また、この短筒体２１は、後述するように、植物苗１１を実際に植苗する際に、植物苗１１とともに土中に挿入され、そのまま放置されるので、経時的に分解し、土壌の一部となる生分解性の材料が好ましい。これは、環境を保全するためでもあり、植物苗１１が太く成長する場合の束縛とならないようにするためでもある。
【００６１】
前記外筒体２２の材料は、前記短筒体２１と同一の材料から構成しても良いし、非生分解性のプラスチック製としてもよい。非生分解性のプラスチック製とした場合、この外筒体は、定植地のボーリング穴に、積層した複数の短筒体２１とともに挿入された後、内部に育成材料１２と長尺根１１ａを持つ植物苗１１とを収納した複数の短筒体２１を残して、引き抜かれて回収される。
【００６２】
なお、前記複数の短筒体２１を積層した全長は、前記外筒体２２の長さ寸法にほぼ一致するが、その長さは、前述のように、定植地の良質な含水土壌層に至るまでの深さにぴったりの長さに設定することは必ずしも必須ではない。というのは、複数の短筒体２１の積層した全長が幾分短くても、最下部の短筒体２１内まで成長した根は、この最下部の短筒体２１の下端からさらに下方に生育可能であるからである。
【００６３】
前記育成材料１２は、植物苗１１の幹部および根を保護した状態で、植物苗１１を前記短筒体２１の内部に挿入もしくは上部開口部２１ａの内側に固定できるものであって、植物苗１１の根に水分と、酸素を供給可能とするために、透水性、保水性、および通気性を有する材料から構成する。そのような材料としては、土壌、砂、礫、バーミキュライト、パーライト、スポンジ状の合成樹脂などが挙げられる。
【００６４】
前記構成の短期育成用具に植物苗１１を固定し、最下部の短筒体２１を、所定時間、水に漬けて短筒体２１を介して水分を供給するとともに、通気性のある短筒体２１を介して酸素を供給することによって、植物苗１１の根１１ａを、積層した複数の短筒体２１中を長さ方向に成長させる。各短筒体２１の内部に挿入される育成材料１２が、植物苗１１の根１１ａの成長速度を増大させることを可能にする硬度に調整されているため、根１１ａは速やか下方に成長する。そして、この時、植物苗１１の根１１ａに供給する水分量を必要最小限にすると、換言すれば、水ストレスを与えると、植物苗１１は、水分が充分な環境に置かれた場合よりは速い速度で根１１ａを水分が存在する方向に成長させる。したがって、最下部の短筒体２１の下端を水に接触させたり、短筒体２１の側面または上端部に水滴を継続的に落とすなどして、短筒体２１を湿潤状態に置くと、植物苗１１は水源が複数の短筒体２１の積層体の下方に存在すると感知したかのように、根１１ａをより早く下方に成長させる。その結果、短期間の内に長尺な根を有する植物苗を育成することができる。
【００６５】
また、複数の短筒体２１の積層体は、外筒体２２によって確実に保持されているので、植物苗１１の育成中、育成後にかかわらず、植物苗１１を複数の短筒体２１ごと容易に搬送することができる。なお、この搬送および定植に有利な形態である「外筒体２２とその内部の複数の短筒体２１と植物苗１１と育成材料１２」の一組は、定植用植物苗セットとして供給することにより、植物の定植が困難な地域への植苗をより一層促進することが可能になる。
【実施例２】
【００６６】
図２は、本発明の実施例２を説明するためもので、前記実施例１に示した短期育成用具との相違点は、複数の短筒体２１の積層体を連結状態に固定する役目を果たす外筒体（連結固定手段）を、前記複数の短筒体２１相互の連結部２１Ｐの近傍のみを覆う長さの短寸外筒体２３の複数個から構成されている点である。
【００６７】
前記短寸外筒体２３は、長さが５ｃｍ〜２０ｃｍの短寸であることが異なるだけで、その他の形状、寸法は、前記実施例１の単一の一体品である外筒体２２と同様である。この短寸外筒体２３の材料は、短筒体２１と同様に生分解性材料であることが好ましいが、非生分解性材料から構成しても良い。この複数の短寸外筒体２３を非分解性材料から構成した場合、これら短寸外筒体２３を、植物苗セットを定植地のボーリング穴に挿入した後、回収しなければならず、回収に手間がかかる。従って、好ましくは、これら短寸外筒体２３は、短筒体２１と同一の生分解性材料から構成する。
【００６８】
この実施例２の構成では、短寸外筒体２３によって、短筒体２１を一つずつ積層し、連結固定していくことができる。そのため、植物苗１１の長尺根１１ａの成長に応じて順次に短筒体２１を増やすことができる。成長に伴って必要数の短筒体２１を増やしていくことにより、常に根の先端近くから水分を補給することができるので、成長のために補給する水分消費量の総計を削減することができる。また、一時に丈の長い短期育成用具を作成して潅水等の育成作業を行う場合に比べて、少しずつ用具の丈を伸ばしていくので、丈の短い期間における用具の取り回し作業が容易になると言う利点も得られる。
【実施例３】
【００６９】
図３は、本発明の実施例３を説明するためもので、前記実施例１に示した短期育成用具との相違点は、複数の短筒体２１の積層体を連結状態に固定する役目を果たす外筒体（連結固定手段）が、前記短筒体２１の数個を同時に覆う長さの中寸外筒体２４の複数個から構成されている点である。
【００７０】
前記中寸外筒体２４は、長さが１０ｃｍ〜３０ｃｍの中寸であることが異なるだけで、その他の形状、寸法は、前記実施例１の単一の一体品である外筒体２２と同様である。図３に示すように、この中寸外筒体２４の長さを、例えば、短筒体２１を２つ積層した場合の全長寸法と同じに設定した場合、中寸外筒体２４の最上部端面を内部に収納する短筒体２１の最上部端面より上方（図示）あるいは下方（不図示）にずらせて設置する。それにより、各短筒体２１の連結部２１Ｐの近傍を中寸外筒体２４により完全に覆うことができ、２つの短筒体２１−２１間の連結固定が実現される。
【００７１】
また、短筒体２１と中寸外筒体２４との上端面をずらせて設置することにより、例えば、図３の場合では、最下段の中寸外筒体２４の下部に短筒体２１が存在していない空間Ｓができるので、この空間Ｓに次の短筒体２１を挿入し、この最下段となる新たな短筒体２１に次の中寸外筒体２４を外嵌し、この中寸外筒体２４の内部にさらに新たな短筒体２１を２つ挿入することができる。この一連の積層作業を繰り返すことによって、短筒体２１の積層数を連結固定を確実に行いつつ増やしていくことができる。
【００７２】
この中寸外筒体２４の材料は、短筒体２１と同様に生分解性材料であることが好ましいが、非生分解性材料から構成しても良い。この複数の中寸外筒体２４を非分解性材料から構成した場合、これら中寸外筒体２４を、植物苗セットを定植地のボーリング穴に挿入した後、回収しなければならず、回収に手間がかかる。従って、好ましくは、これら中寸外筒体２４は、短筒体２１と同一の生分解性材料から構成する。
【００７３】
この実施例３の構造によっても、前記実施例２と同様に、短筒体２１を植物苗１１の長尺根１１ａの成長に合わせて追加的に積層し、連結固定できる。その結果、前記実施例２と同様に、潅水量の節約、短期育成用具の取り回し作業性の向上という効果を得ることができる。
【実施例４】
【００７４】
この実施例４の特徴は、図４に示すように、各短筒体２１間に透明層２５が介装されていることと、この透明層２５に対応する外筒体２２の側壁に窓２２ａが形成されていることの２点である。
【００７５】
前記透明層２５は、植物苗１１の長尺根１１ａの成長に伴う通過を確認するためのものであり、窓２２ａは、この透明層２５を外筒体２２を通して観察可能とするためのものである。前記窓２２ａは、外筒体２２の外壁の対向する２箇所に設けて、一方の窓２２ａ−透明層２５−他方の窓２２ａを光が一直線に通過するように設定することが、長尺根１１ａの通過を確認するために、望ましい。
【００７６】
このように透明層２５を介して長尺根１１ａの成長を確認でき、それによって、潅水の程度の調整や、短筒体２１の追加積層を決定することができる。前記透明層２５は、透明ガラスビーズや透明プラスチックビーズなどの透明粒子材料を用いて、所定の厚み（１０〜２０ｍｍ）積層して構成しても良いし、透明ゼリー材を所定の厚みに形成したものでも良い。これらは、長尺根１１ａが容易に通過できるので、好適である。
【実施例５】
【００７７】
この実施例５の特徴は、図５に示すように、前記透明層と前記短寸外筒体とが同一透明材料により一体に形成され、その中央に伸長根（長尺根）の通過を可能とする貫通孔２６ａが形成されてなる透明連結体２６を用いている点にある。この透明連結体２６は、好ましくは、生分解性の透明プラスチックから構成する。
【００７８】
前記透明連結体２６を用いれば、短筒体２１を植物苗１１の長尺根１１ａの成長に合わせて、一つずつ追加積層することができ、その追加積層の必要な時期を、側面から連結部を覗き込み、長尺根１１ａの通過を確認することにより、知ることができる。
【実施例６】
【００７９】
この実施例６の特徴は、図６に示すように、新規な形状の短筒体２７を用いた点にある。この短筒体２７は、内部に充填する育成材料１２の脱落を防止する網状部材２０が設けられている下部２７ａが該短筒体２７の上部開口部２７ｂに嵌入可能な寸法に縮径されている。この下部縮径部２７ａを他の短筒体２７の上部開口部２７ｂに嵌入させることにより、短筒体２７の積層および連結固定が完了する。したがって、この実施例６では、各短筒体２７の下部縮径部２７ａが短筒体の連結固定手段を構成している。
【００８０】
この短筒体２７の材質、長さ寸法は、前記実施例の短筒体２１に準じて決定すれば十分である。また、下部縮径部２７ａの縮径寸法は、この短筒体２７の厚み寸法にほぼ一致し、この厚み寸法は、前記短筒体２１に準じて決定すればよい。
【００８１】
この実施例６の構成によれば、連結固定手段を別体で用意する必要がなく、短筒体２７のみを複数個用意し、これらを次々に積層し、同時に連結固定することができるので、材料費の削減と、作業効率の向上を図ることができる。
【実施例７】
【００８２】
この実施例７の特徴は、図７に示すように、前記実施例６の短筒体２７の積層を前記実施例１で用いた外筒体２２内にて行い、そのまま一体化した点にある。このように外筒体２２内に複数の短筒体２７を積層することにより、積層体の連結固定強度をさらに高めることができる。したがって、この実施例７では、連結固定手段は、各短筒体２７の下部縮径部２７ａと、外筒体２２とが担っている。
【実施例８】
【００８３】
この実施例８の特徴は、短筒体２１，２７の外表面に疎水性の塗料を塗布した点にある。疎水性の塗料としては、例えば、油性ペンキ、油、グリースを挙げることができるが、他の塗料を用いても良い。短筒体２１，２７の概評面に疎水性塗料を塗布することにより、図８のグラフに示すように、短筒体からの水分蒸発を約１／３に抑制することができる。その結果、潅水回数を減らすことが可能となる。また、塗料の塗布により短筒体２１，２７の強度が向上することも確認された。
【実施例９】
【００８４】
この実施例９では、本発明の短期育成用具を用いた植苗方法の一例を示す。この実施例９では、前記実施例７に示した構成の短期育成用具を用いる場合を説明するが、他の実施例の短期育成用具に対しても同様に適用可能である。
【００８５】
この植苗方法では、前述のように前記実施例７に示した構成の短期育成用具に長尺根１１ａを最下端から外にでる程度に成長させた植物苗１１を収納してなる植物苗セット２８を用いて行った場合を示す。まず、図８に示すように、乾燥地等の定植地２９の地中に植物苗セット２８の筒径と同径の縦穴３０を植物が育成するために十分な良質水分を含んだ土壌層３１に至るまで掘削する。
【００８６】
次に、該縦穴３０に、前述の植物苗セット２８を挿入する。続いて、非分解性プラスチック製の外筒体２２のみを引き抜き、土壌中に植物苗１１と育成材料１２とそれらを支える複数の短筒体２７を残し、空隙に現地の土壌をおぎなう。これにより、図９に示すように、定植地の土壌２９に植物苗の植え付けが完了する。この状態で、植物苗１１の長尺根１１ａは、育成材料１２と複数の短筒体２７とに保護されて、その先端を土壌深部の良質な含水土壌層３１内に挿入され、水分に接触される。
【００８７】
前記短筒体２７は生分解性材料から構成されているため、経時的に徐々に分解し、現地の土壌と一体化していくが、その期間中に長尺根１１ａは含水土壌層３１から良質な水分を吸収して、さらに成長し、この定植地において、植物苗１１本体の成長を支えるに到る。
【００８８】
なお、前記実施例９では、外筒体２２が非生分解性のプラスチックから構成されている場合について説明したが、外筒体２２が生分解性材料から構成されている場合は、引き抜かずに、そのまま短筒体２７とともに土壌中に残こす。この場合には、さらに植苗作業が容易になる。
【産業上の利用可能性】
【００８９】
本発明にかかる植物苗の短期育成用具、短期育成方法、定植用植物苗セット、および定植地における植苗方法は、長尺な根を有する植物苗（深根苗）を短期に効率的に育成することができる。しかも、その長尺な根を、積層した複数の短筒体によって保護したまま、搬送できるので、育成の好適な場所で長尺な根を成長させた後、得られた植物苗を遠隔地域にも容易に供給することができる。乾燥地などの植物の育成が困難な地域に移送した植物苗は、積層した複数の短筒体と共に地中に挿入されることによって、長尺な根を痛めることなく、植苗可能である。かかる植苗によって、長尺な根の先端が植物が育成する上で必要な水質及び水量を有する深部の土壌層に到達するので、水分の補給を積極的に実施しなくても、植物を乾燥地帯に定着させることができる。すなわち、本発明により、深根苗を短期間で育成(節水)、量産することが可能となり、かつ定着率を高めることが可能であることから、乾燥地などの植物の育成が困難な地域の緑化を容易かつ大規模に実施することができ、食糧問題や、二酸化炭素の固定という観点から地球温暖化防止等の環境問題にも貢献できるものである。
【図面の簡単な説明】
【００９０】
【図１】本発明の短期育成用具の第１の実施例を示す断面構成図である。
【図２】本発明の短期育成用具の第２の実施例を示す断面構成図である。
【図３】本発明の短期育成用具の第３の実施例を示す断面構成図である。
【図４】本発明の短期育成用具の第４の実施例を示す断面構成図である。
【図５】本発明の短期育成用具の第５の実施例を示す断面構成図である。
【図６】本発明の短期育成用具の第６の実施例を示す断面構成図である。
【図７】本発明の短期育成用具の第７の実施例を示す断面構成図である。
【図８】本発明の第８の実施例を説明するためのもので、短筒体の概評面に疎水性塗料を塗布した場合の水分蒸発量を塗布前と比較したグラフを示す図である。
【図９】乾燥地などの植物の育成が困難な地域における本発明の植苗方法を示す説明図である。
【図１０】乾燥地などの植物の育成が困難な地域にて植苗後の植物苗の状態を説明する断面図である。
【図１１】乾燥地の緑化に提案されている従来の植苗方法に用いられる構造体の構成を示す図である。
【図１２】乾燥地の緑化に提案されている従来の植苗方法に用いられる他の構造体の構成を示す図である。
【図１３】本発明に先立って本発明者らが開発した植物苗の短期育成用具の斜視図である。
【図１４】図１３の短期育成用具の構造を透視した斜視図である。
【符号の説明】
【００９１】
１１  植物苗
１１ａ  長尺根
１２  植物苗用の育成材料
２０  網状部材
２１  短筒体
２１ａ  上部開口部
２１Ｐ  複数の短筒体相互の連結部
２２  外筒体（連結固定手段）
２２ａ  窓
２３  短寸外筒体
２４  中寸外筒体
２５  各短筒体間に設けられる透明層
２６  透明連結体
２６ａ  貫通孔
２７  短筒体
２７ａ  下部縮径部
２７ｂ  上部開口部
２８  植物苗セット
２９  定植地
３０  縦穴
３１  深部の良質含水土壌層
Ｓ  最下段の中寸外筒体の下部の短筒体が存在していない空間
【図１】
2008206481.tif 000003
【図２】
2008206481.tif 000004
【図３】
2008206481.tif 000005
【図４】
2008206481.tif 000006
【図５】
2008206481.tif 000007
【図６】
2008206481.tif 000008
【図７】
2008206481.tif 000009
【図８】
2008206481.tif 000010
【図９】
2008206481.tif 000011
【図１０】
2008206481.tif 000012
【図１１】
2008206481.tif 000013
【図１２】
2008206481.tif 000014
【図１３】
2008206481.tif 000015
【図１４】
2008206481.tif 000016